(57)【要約】      （修正有）【課題】使用している椅子の背もたれと使用者の背部にフィットしたヘッドレストを提供する。【解決手段】背もたれのある椅子１にヘッドレスト２を設置して使用する。ヘッドレスト２は、枕２ａ、高さ調整支柱２ｂ、クッション付背当て２ｃで構成する。ヘッドレスト２は、枕２ａを高さ調整支柱２ｂに取り付け、クッション付背当て２ｃに高さ調整支柱２ｂを収容し、使用者３にフィットする位置で高さを固定して組み立てが完了し、使用することが出来る。【選択図】図１
0003142843.tif 000002
【実用新案登録請求の範囲】
【請求項１】
取り外しが簡単にできる枕と枕の高さを容易に調整する支柱と支柱を収容するクッション付背当てで構成することを特徴とする、休憩用携行ヘッドレスト。
【請求項２】
調整支柱を挿入できるポケットを持つ、枕の請求項１の休憩用携行ヘッドレスト。
【請求項３】
枕の詰め物に、低反発性材料を使用した請求項１の休憩用携行ヘッドレスト。
【請求項４】
クッションを袋状にし、袋の片側にクッション機能を持たせた請求項１の休憩用携行ヘッドレスト。
【請求項５】
調整支柱に、使用しなくなったショッピングカートや旅行ケースのキャリーハンドルを利用した請求項１の休憩用携行ヘッドレスト。
【考案の詳細な説明】
【技術分野】
【０００１】  本考案は、背もたれのある椅子に簡単に設置することができ、保管が容易なヘッドレストに関するものである。
【背景技術】
【０００２】  休憩室のない職場や車椅子の人たちは、休憩時間でも椅子に座ったままのことが多いので、ヘッドレストの無い椅子では快適に休憩や休息時間を過ごすことが出来ない。【０００３】  上記のことから、特許文献１では、背もたれ角度が調整できる椅子に、角度を調整して背中の間に長い背板を設置して休息を取るもので、頭の安定感が無く、背もたれの高さによっては利用が困難で、また、長いので保管も容易でない。【０００４】  特許文献２では、高さや位置が調整できるが、固定式なので、使用できる椅子は限定される。【０００５】
【特許文献１】特開平９−９８８５０号公報
【特許文献２】特開平１１−２４４３３６号公報
【考案の開示】
【考案が解決しようとする課題】
【０００６】  創造的作業や車椅子等の使用者は、短時間の仮眠で創造力、労働意欲が湧いてくる。しかし、休憩室のない状態や休憩室まで時間がかかったり、行動を切り替える場合には効果的に休憩や休息することができない。従って、使用している椅子の背もたれと使用者の背部にフィットしたヘッドレストを設置することにより、前述の課題を解決しようとするものである。
【課題を解決するための手段】
【０００７】  本考案は、椅子の使用者の背部と椅子の背もたれの間に、持ち運びが容易で、枕の高さが簡単に調整できる支柱と支柱を収容するクッション付背当てで構成する休憩用携行ヘッドレスト（以下ヘッドレストと言う）を設置し、頭を安定させて休憩を過ごすことにより問題点を解決している。
【考案の効果】
【０００８】  上述のように、本考案の休憩用携行ヘッドレストは、枕の高さを使用する人に合わせて調整して設置するので、休憩や休息時の頭は、頭の鉛直線より後方に傾き安定し、快適に休憩時間を過ごすことができる。ヘッドレストは簡単に持ち運びができ、背もたれのある椅子ならばどんな椅子にも設置できるので、使用者専用のものとして枕の高さを調整しておくことができる。また、使用時以外は、机の下などに容易に保管できる。【０００９】  請求項２は、枕に調整用支柱が挿入できる大きさのポケットを持つことにより、枕を簡単に着脱できるので持ち運び容易で、他に使用することもできるになる。【００１０】  請求項３は、低反発性材料が速い動きには弾性体として、遅い動きには塑性体としてとして反応するので、枕の詰め物に使用すると枕には頭部にフィットした凹みができる。従って、仮眠時の速い動きは抑制されるので頭部は安定する効果がある。【００１１】  請求項４は、支柱格納背当てに付けるクッション材料を袋状にして、支柱を格納することにより、好みに合わせた模様のヘッドレストができる。【００１２】  請求項５は、ショッピングカートや旅行ケースには使用が過酷なため、強固で精巧な調整機能を持ったキャリーハンドルが使用されているので、不用になった、これらのキャリーハンドルを使用することにより、多種多様で安価なヘッドレストができる。
【考案を実施するための最良の形態】
【００１３】  枕の高さを容易に調整できる、枕を付けた調整支柱をクッション付背当てに収容してヘッドレストを造る。【００１４】  高さ調整したヘッドレストを使用する椅子の背もたれに沿わせて設置する。ヘッドレストは椅子に置くだけなので、背もたれが有れば、高さや構造に余り関係なく使用できる。従って、学習用椅子、事務用椅子、ソファ、車椅子など各種の椅子に使用できる。【００１５】  本考案のヘッドレストは、持ち運び、設置および保管が容易なので、使用者専用のものに枕の高さを調整し、枕やクッションを使用者の好み合わせておくと更に効果的に使用することができる。
【実施例】
【００１６】  以下、添付図面に従って、通常の椅子に使用する場合の実施例１を説明する。本考案は、背もたれのある椅子１にヘッドレスト２を設置して使用する。ヘッドレスト２は、枕２ａ、高さ調整支柱２ｂ、クッション付背当て２ｃで構成する。
ヘッドレスト２は、枕２ａを高さ調整支柱２ｂに取り付け、クッション付背当て２ｃに高さ調整支柱２ｂを収容し、使用者３にフィットする位置で高さを固定して組み立てが完了し、使用することが出来る。【００１７】  組み立てたヘッドレスト２を、使用者３の椅子１の背もたれと、使用者３の背中の間に設置することにより頭部を安定させて休憩することができる。【００１８】  休憩時以外や使用しないときは、机の下などに保管し、次に使用するときに単に、使用している椅子に設置するだけで使用できる。【００１９】  実施例２を説明する。車椅子４の場合も組み立てたヘッドレスト２を、使用者３の椅子４の背もたれと、使用者３の背中の間に設置することにより頭部を安定させて、快適に休憩することができる。
【図面の簡単な説明】
【００２０】
【図１】ヘッドレストを通常の椅子に設置した実施例１を示す。
【図２】ヘッドレストを車椅子に設置した実施例２を示す。
【図３】ヘッドレストの外観図を示す。
【図４】ヘッドレストの構成図を示す。
【図５】ポケット付枕を示す
【符号の説明】
【００２１】１  背もたれのある椅子
２  ヘッドレスト
２ａ  枕
２ｂ  枕の高さ調整支柱
２ｃ  クッション付背当て
２ｄ  高さ調整桿
２ｅ  枕のポケット
３  使用者
４  車椅子
【図１】
0003142843.tif 000003
【図２】
0003142843.tif 000004
【図３】
0003142843.tif 000005
【図４】
0003142843.tif 000006
【図５】
0003142843.tif 000007
【手続補正書】
【提出日】平成20年3月26日(2008.3.26)
【手続補正１】
【補正対象書類名】実用新案登録請求の範囲
【補正対象項目名】全文
【補正方法】変更
【補正の内容】
【実用新案登録請求の範囲】
【請求項１】
取り外しが簡単にできる枕と枕の高さを容易に調整する支柱と支柱を収容するクッション付背当てで構成することを特徴とする、休憩用携行ヘッドレスト。
【請求項２】
枕が、調整支柱を挿入できるポケットを持つ、請求項１の休憩用携行ヘッドレスト。
【請求項３】
枕の詰め物に、低反発性材料を使用した請求項１の休憩用携行ヘッドレスト。
【請求項４】
クッションを袋状にし、袋の背当側にクッション機能を持たせた請求項１の休憩用携行ヘッドレスト。
【請求項５】
調整支柱に、使用しなくなったショッピングカートや旅行ケースのキャリーハンドルを利用した請求項１の休憩用携行ヘッドレスト。